(57)【特許請求の範囲】
【請求項１】
電気錠を備えた複数の扉に対応して設けられた複数のカード操作機器と、
前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、
を備え、
前記入退室管理機器の各々は、動作モードが警備員立会モードの際に対応したカード操作機器に対する警備員のカードの操作に基づいて前記動作モードを不審者追跡モードに移行させ、動作モードが不審者追跡モードの際に一般人のカードが対応したカード操作機器に対して操作された際に対応した電気錠を解かず、前記複数の入退室管理機器の全ての動作モードが不審者追跡モードの際に警備員のカードが対応したカード操作機器に対して操作された際に対応した電気錠を解く入退室管理システム。
【請求項２】
前記入退室管理機器の各々は、前記複数の入退室管理機器の全ての動作モードが不審者追跡モードの際に警備員のカードがいずれかのカード操作機器に対して操作された際に動作モードを不審者捕獲モードに移行させ、動作モードが不審者捕獲モードの際に一般人のカードが対応したカード操作機器に対して操作された際に対応した電気錠を解かず、警備員のカードが対応したカード操作機器に対して操作された際に対応した電気錠を解く請求項１に記載の入退室管理システム。
【請求項３】
電気錠を備えた複数の扉に対応して設けられた複数のカード操作機器と、
前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、
を備え、
前記入退室管理機器の各々は、他の入退室管理機器の動作モードが不審者追跡モードに移行した際に動作モードを不審者追跡モードに移行させる入退室管理システム。
【請求項４】
電気錠を備えた複数の扉に対応して設けられた複数のカード操作機器と、
前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、
を備え、
前記入退室管理機器の各々は、前記複数の入退室管理機器の全てが不審者追跡モードの際に警備員のカードがいずれかのカード操作機器に対して操作された際に対応した電気錠を解く入退室管理システム。
【請求項５】
電気錠を備えた複数の扉に対応して設けられた複数のカード操作機器と、
前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、
を備え、
前記入退室管理機器の各々は、前記複数の入退室管理機器の全てが不審者捕獲モードの際に警備員のカードがいずれかのカード操作機器に対して操作された際に動作モードを通常モードに移行させる入退室管理システム。
【発明の詳細な説明】
【技術分野】
【０００１】
この発明は、入退室管理システムに関する。
【背景技術】
【０００２】
特許文献１は、入退室管理システムを開示する。当該入退室管理システムにおいては、不審者の侵入が検知された際に、入退室機器の動作モードは、侵入監視モードに移行する。入退室機器の動作モードが侵入監視モードになると、グループ化された部屋の全ての電気錠がかけられる。
【先行技術文献】
【特許文献】
【０００３】
【特許文献１】特開２００５−１８２１７２号公報
【発明の概要】
【発明が解決しようとする課題】
【０００４】
特許文献１に記載のものにおいては、不審者の侵入が検知された際に、入退室機器の動作モードが自動的に侵入監視モードに移行する。このため、入退室管理機器の動作モードを柔軟に変更することができない。
【０００５】
この発明は、上述の課題を解決するためになされた。この発明の目的は、入退室管理機器の動作モードを柔軟に変更することができる入退室管理システムを提供することである。
【課題を解決するための手段】
【０００７】
この発明に係る入退室管理システムは、電気錠を備えた複数の扉に対応して設けられた複数のカード操作機器と、前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、を備え、前記入退室管理機器の各々は、動作モードが警備員立会モードの際に対応したカード操作機器に対する警備員のカードの操作に基づいて前記動作モードを不審者追跡モードに移行させ、動作モードが不審者追跡モードの際に一般人のカードが対応したカード操作機器に対して操作された際に対応した電気錠を解かず、前記複数の入退室管理機器の全ての動作モードが不審者追跡モードの際に警備員のカードが対応したカード操作機器に対して操作された際に対応した電気錠を解く。
この発明に係る入退室管理システムは、電気錠を備えた複数の扉に対応して設けられた複数のカード操作機器と、前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、を備え、前記入退室管理機器の各々は、他の入退室管理機器の動作モードが不審者追跡モードに移行した際に動作モードを不審者追跡モードに移行させる。
この発明に係る入退室管理システムは、電気錠を備えた複数の扉に対応して設けられた複数のカード操作機器と、前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、を備え、前記入退室管理機器の各々は、前記複数の入退室管理機器の全てが不審者追跡モードの際に警備員のカードがいずれかのカード操作機器に対して操作された際に対応した電気錠を解く。
この発明に係る入退室管理システムは、電気錠を備えた複数の扉に対応して設けられた複数のカード操作機器と、前記複数のカード操作機器に対応して設けられ、対応したカード操作機器に対する警備員のカードの操作に基づいて動作モードを移行させ、前記動作モードが警備員立会モードの場合は、警備員のカードが対応したカード操作機器に対して操作されてから一定時間内に一般人のカードが対応したカード操作機器に対して操作された際に対応した電気錠を解き、警備員のカードが対応したカード操作機器に対して操作されてから一定時間以降に一般人のカードが対応したカード操作機器に対して操作された際に対応した電気錠を解かない複数の入退室管理機器と、を備え、前記入退室管理機器の各々は、前記複数の入退室管理機器の全てが不審者捕獲モードの際に警備員のカードがいずれかのカード操作機器に対して操作された際に動作モードを通常モードに移行させる。
【発明の効果】
【０００８】
これらの発明によれば、入退室管理機器の動作モードは、警備員のカードの操作に基づいて警備員立会モードに移行する。このため、入退室管理機器の動作モードを柔軟に変更することができる。
【図面の簡単な説明】
【０００９】
【図１】この発明の実施の形態１における入退室管理システムが適用される建築物を示す図である。
【図２】この発明の実施の形態１における入退室管理システムの入退室管理機器のブロック図である。
【図３】この発明の実施の形態１における入退室管理システムが使用する連動情報管理テーブルの具体例を示す図である。
【図４】この発明の実施の形態１における入退室管理システムに用いられた入退室管理機器の動作モードの概要を示す図である。
【図５】この発明の実施の形態１における入退室管理システムによる入退室管理機器の動作モードの移行方法の概要を示す図である。
【図６】この発明の実施の形態１における入退室管理システムに用いられた入退室管理機器の通常モード時の動作を説明するためのフローチャートである。
【図７】この発明の実施の形態１における入退室管理システムに用いられた入退室管理機器の侵入監視モード時の動作を説明するためのフローチャートである。
【図８】この発明の実施の形態１における入退室管理システムに用いられた入退室管理機器の警備員立会モード時の動作を説明するためのフローチャートである。
【図９】この発明の実施の形態１における入退室管理システムに用いられた入退室管理機器の不審者追跡モード時の動作を説明するためのフローチャートである。
【図１０】この発明の実施の形態１における入退室管理システムに用いられた入退室管理機器の不審者捕獲モード時の動作を説明するためのフローチャートである。
【図１１】この発明の実施の形態１における入退室管理システムに用いられた入退室管理機器のハードウェア構成図である。
【図１２】この発明の実施の形態２における入退室管理システムに用いられた入退室管理機器の通常モード時の動作を説明するためのフローチャートである。
【図１３】この発明の実施の形態２における入退室管理システムに用いられた入退室管理機器の侵入監視モード時の動作を説明するためのフローチャートである。
【図１４】この発明の実施の形態２における入退室管理システムに用いられた入退室管理機器の警備員立会モード時の動作を説明するためのフローチャートである。
【図１５】この発明の実施の形態３における入退室管理システムに用いられた入退室管理機器の不審者追跡モード時の動作を説明するためのフローチャートである。
【図１６】この発明の実施の形態４における入退室管理システムに用いられた入退室管理機器の不審者捕獲モード時の動作を説明するためのフローチャートである。
【発明を実施するための形態】
【００１０】
この発明を実施するための形態について添付の図面に従って説明する。なお、各図中、同一又は相当する部分には、同一の符号が付される。当該部分の重複説明は適宜に簡略化又は省略化される。
【００１１】
実施の形態１．
図１はこの発明の実施の形態１における入退室管理システムが適用される建築物を示す図である。
【００１２】
図１において、建築物１は、ビル等である。複数の通用口は、建築物１に形成される。例えば、第１通用口と第２通用口とは、１階の通用口である。例えば、第３通用口と第４通用口と第５通用口と第６通用口と第７通用口と第８通用口と第９通用口と第１０通用口と第１１通用口とは、ある階の通用口である。
【００１３】
第１扉２ａは、第１通用口に設けられる。第２扉２ｂは、第２通用口に設けられる。第３扉２ｃは、第３通用口に設けられる。第４扉２ｄは、第４通用口に設けられる。第５扉２ｅは、第５通用口に設けられる。第６扉２ｆは、第６通用口に設けられる。第７扉２ｇは、第７通用口に設けられる。第８扉２ｈは、第８通用口に設けられる。第９扉２ｉは、第９通用口に設けられる。第１０扉２ｊは、第１０通用口に設けられる。第１１扉２ｋは、第１１通用口に設けられる。
【００１４】
同じ部屋、同じ階等、共通した領域において、複数の通用口は、グループ化される。例えば、第１通用口と第２通用口とは、建築物１の通用口としてグループ化される。例えば、第３通用口と第４通用口とは、ある階の出入口としてグループ化される。例えば、第５通用口と第６通用口とは、第１部屋の出入口としてグループ化される。例えば、第７通用口と第８通用口と第９通用口とは、第２部屋の出入口としてグループ化される。例えば、１０通用口と第１１通用口とは、第３部屋の出入口としてグループ化される。
【００１５】
入退室管理システムは、複数の侵入センサ３と複数の電気錠４と複数のカード操作機器５と複数の入退室管理機器６とを備える。複数の侵入センサ３の各々と複数の電気錠４の各々と複数のカード操作機器５の各々と複数の入退室管理機器６の各々は、複数の通用口の各々に対応して設けられる。グループ化された複数の通用口に対し、対応した複数の入退室管理機器６は、グループ化される。同じグループの複数の入退室管理機器６は、連動する。
【００１６】
次に、図２を用いて、入退室管理機器６の概要を説明する。
図２はこの発明の実施の形態１における入退室管理システムの入退室管理機器のブロック図である。
【００１７】
複数の入退室管理機器６の各々は、連動情報管理テーブル６ａと連動情報管理部６ｂと連動情報送信部６ｃと連動情報受信部６ｄとを備える。
【００１８】
連動情報管理テーブル６ａは、当該入退室管理機器６と同じグループの他の入退室管理機器６の情報と当該入退室管理機器６が同じグループの入退室管理機器６と連動する際に必要な情報とを記憶する。連動情報管理部６ｂは、連動情報管理テーブル６ａの内容を読み書きする。連動情報送信部６ｃは、当該入退室管理機器６が同じグループの入退室管理機器６と連動する際に必要な情報を同じグループの他の入退室管理機器６に送信する。連動情報受信部６ｄは、当該入退室管理機器６が同じグループの入退室管理機器６と連動する際に必要な情報を同じグループの他の入退室管理機器６からを受信する。
【００１９】
次に、図３を用いて、連動情報管理テーブル６ａの具体例を説明する。
図３はこの発明の実施の形態１における入退室管理システムが使用する連動情報管理テーブルの具体例を示す図である。
【００２０】
図３において、「機器ＩＤ」は、当該連動情報管理テーブル６ａを備えた入退室管理機器６の番号を示す情報である。「連動機器ＩＤ」は、当該入退室管理機器６と同じグループの入退室管理機器６の番号を示す情報である。例えば、複数の入退室管理装置が連動する場合、複数の「連動機器ＩＤ」の番号を示す情報が存在する。例えば、連動する通用口がない場合、「連動機器ＩＤ」の番号示す情報は、存在しない。
【００２１】
「通常」と「監視」と「立会」と「追跡」と「追跡準備完了」と「捕獲」と「警備員ＩＤ」とは、当該入退室管理機器６が同じグループの入退室管理機器６と連動する際に必要な情報である。例えば、「追跡」は、当該入退室管理機器６の動作モードが不審者追跡モードであるか否かを示す情報である。例えば、「警備員ＩＤ」は、当該入退室管理機器６の動作モードを不審者追跡モードに移行させた警備員のＩＤ番号を示す情報である。
【００２２】
次に、図４を用いて、入退室管理機器６の動作モードの概要を説明する。
図４はこの発明の実施の形態１における入退室管理システムに用いられた入退室管理機器の動作モードの概要を示す図である。
【００２３】
入退室管理機器６は、通常モードと侵入監視モードと警備員立会モードと不審者追跡モードと不審者捕獲モードのうちのいずれかの動作モードに設定される。
【００２４】
通常モードは、平時の動作モードである。通常モードにおいて、一般人は、自らのカードをカード操作機器５にかざすことにより通用口から入退場し得る。警備員は、自らのカードをカード操作機器５にかざすことにより通用口から入退場し得る。
【００２５】
侵入監視モードは、夜間等において誰に対しても通用口からの入退場を許可しない時間帯に選択される動作モードである。侵入監視モードにおいて、侵入センサ３が不審者の侵入を検知した場合、外部装置への通報がなされる。
【００２６】
警備員立会モードは、通用口の外側に警備員がいる場合にのみ一般人が通用口から入場し得る動作モードである。警備員立会モードは、一般人が警備員の目を盗んで勝手に通用口から入場することを防止する動作モードである。警備員立会モードにおいて、一般人は、警備員が自らのカードをカード操作機器５に対してかざした後において一定時間内に自らのカードをカード操作機器５に対してかざした場合に通用口から入場し得る。
【００２７】
不審者追跡モードは、複数の警備員が不審者を追跡する際の動作モードである。不審者追跡モードにおいて、一般人は、通用口から入退場できない。不審者追跡モードでは、連動する入退室管理機器６に対応した通用口の全てに警備員が到着しないと、警備員も通用口から入場できない。
【００２８】
不審者捕獲モードは、複数の警備員が不審者を捕獲する際の動作モードである。不審者捕獲モードは、警備員のみが通用口から入退場し得る動作モードである。不審者捕獲モードにおいては、一般人は、通用口から入退場できない。
【００２９】
不審者追跡モードと不審者捕獲モードとは、ある建築物１、ある階、ある部屋といった順に不審者が移動し得る範囲を徐々に狭めていく際に使用される。この場合、不審者は、最終的に逃げ場を失う。その結果、不審者は、警備員に捕獲される。
【００３０】
例えば、図１においては、警備員は、まず、不審者が建築物１の通用口から逃げないようにする。例えば、第１警備員は、第１扉２ａに向かう。例えば、第２警備員は、第２扉２ｂに向かう。
【００３１】
第１警備員は、第１扉２ａに到着した際に入退室管理機器６の動作モードを不審者追跡モードへ移行させる。この際、第２扉２ｂに対応した入退室管理機器６の動作モードが不審者追跡モードになっていなければ、第１警備員は、第１通用口から入場できない。
【００３２】
第２警備員は、第２扉２ｂに到着した際に入退室管理機器６の動作モードを不審者追跡モードへ移行させる。この際、第１扉２ａに対応した入退室管理機器６の動作モードが不審者追跡モードになっていなければ、第２警備員は、第２通用口から入場できない。
【００３３】
第１扉２ａに対応した入退室管理機器６の動作モードと第２扉２ｂに対応した入退室管理機器６の動作モードとが不審者追跡モードである際に、第１警備員または第２警備員が対応したカード操作機器５にカードをかざすと、対応した電気錠４が解かれる。この際、第１扉２ａに対応した入退室管理機器６の動作モードと第２扉２ｂに対応した入退室管理機器６の動作モードとは、不審者捕獲モードへ移行する。
【００３４】
次に、図５を用いて、動作モードの移行方法を説明する。
図５はこの発明の実施の形態１における入退室管理システムによる入退室管理機器の動作モードの移行方法の概要を示す図である。
【００３５】
入退室管理機器６の動作モードが通常モードである際、カード操作機器５に対して警備員のカードの通常操作がなされても、入退室管理機器６の動作モードは、移行しない。この際、入退室管理機器６は、電気錠４を解く。これに対し、入退室管理機器６の動作モードが通常モードである際、カード操作機器５に対して警備員のカードの特殊操作がなされると、入退室管理機器６の動作モードは、侵入監視モードへ移行する。
【００３６】
入退室管理機器６の動作モードが侵入監視モードである際、カード操作機器５に対して警備員のカードの通常操作がなされると、入退室管理機器６の動作モードは、通常モードへ移行する。これに対し、入退室管理機器６の動作モードが侵入監視モードである際、カード操作機器５に対して警備員のカードの特殊操作がなされると、入退室管理機器６の動作モードは、警備員立会モードへ移行する。
【００３７】
入退室管理機器６の動作モードが警備員立会モードである際、カード操作機器５に対して警備員のカードの通常操作がなされると、入退室管理機器６の動作モードは、侵入監視モードへ移行する。これに対し、入退室管理機器６の動作モードが警備員立会モードである際、カード操作機器５に対して警備員のカードの特殊操作がなされると、入退室管理機器６の動作モードは、不審者追跡モードへ移行する。
【００３８】
入退室管理機器６の動作モードが不審者追跡モードである際、カード操作機器５に対して警備員のカードの通常操作がなされると、入退室管理機器６は、追跡準備完了の状態となる。同じグループの入退室管理機器６の全てが追跡準備完了の状態にときに、カード操作機器５に対して警備員のカードの通常操作がなされると、同じグループの入退室管理機器６の全ての動作モードは、不審者捕獲モードへ移行する。この際、入退室管理機器６は、電気錠４を解く。
【００３９】
入退室管理機器６の動作モードが不審者捕獲モードである際、カード操作機器５に対して警備員のカードの通常操作がなされても、入退室管理機器６の動作モードは、移行しない。この際、入退室管理機器６は、電気錠４を解く。これに対し、入退室管理機器６の動作モードが不審者捕獲モードである際、カード操作機器５に対して警備員のカードの特殊操作がなされると、入退室管理機器６の動作モードは、通常モードへ移行する。
【００４０】
なお、警備員のカードの通常操作と特殊操作とは、適宜設定される。例えば、入退室管理機器６は、警備員のカードがカード操作機器５に対して予め設定された一定時間内に１回だけかざされた際に通常操作がなされたと判定する。例えば、入退室管理機器６は、警備員のカードがカード操作機器５に対して予め設定された一定時間内に連続してかざされた際に特殊操作がなされたと判定する。
【００４１】
次に、図６を用いて、入退室管理機器６の通常モード時の動作を説明する。
図６はこの発明の実施の形態１における入退室管理システムに用いられた入退室管理機器の通常モード時の動作を説明するためのフローチャートである。
【００４２】
ステップＳ１では、入退室管理機器６は、カードがカード操作機器５に対して照合されたか否かを判定する。ステップＳ１でカードがカード操作機器５に対して照合されていない場合は、ステップＳ１が繰り返される。ステップＳ１でカードがカード操作機器５に対して照合された場合は、ステップＳ２に進む。
【００４３】
ステップＳ２では、入退室管理機器６は、当該カードが認証されたかを判定する。具体的には、入退室管理機器６は、当該カードが本入退室管理システムで登録されたカードか否かを判定する。
【００４４】
ステップＳ２で当該カードが認証されない場合は、ステップＳ３に進む。ステップＳ３では、入退室管理機器６は、カード操作機器５に警告を報知させる。例えば、入退室管理機器６は、カード操作機器５の本体に赤いランプを点灯させる。例えば、入退室管理機器６は、カード操作機器５の本体に不快な音を出させる。その後、動作が終了する。
【００４５】
ステップＳ２で当該カードが認証された場合は、ステップＳ４に進む。ステップＳ４では、入退室管理機器６は、当該カードが警備員のカードであるか否かを判定する。
【００４６】
ステップＳ４で当該カードが警備員のカードでない場合は、ステップＳ５に進む。ステップＳ５では、入退室管理機器６は、電気錠４を解く。その後、動作が終了する。
【００４７】
ステップＳ４で当該カードが警備員のカードである場合は、ステップＳ６に進む。ステップＳ６では、入退室管理機器６は、タイマー値をリセットする。その後、ステップＳ７に進む。ステップＳ７では、入退室管理機器６は、カードがカード操作機器５に対して照合されたか否かを判定する。
【００４８】
ステップＳ７で当該カードがカード操作機器５に対して照合されていない場合は、ステップＳ８に進む。ステップＳ８では、入退室管理機器６は、タイマーが一定時間を経過した否かを判定する。例えば、入退室管理機器６は、タイマーが３秒経過した否かを判定する。
【００４９】
ステップＳ８でタイマーが３秒経過していない場合は、ステップＳ７に戻る。ステップＳ８でタイマーが３秒経過した場合は、ステップＳ５に進む。ステップＳ５では、入退室管理機器６は、警備員が通用口を通行しようとしていると判定する。この場合、入退室管理機器６は、電気錠４を解く。その後、動作が終了する。
【００５０】
ステップＳ７で当該カードがカード操作機器５に対して照合された場合は、ステップＳ９に進む。ステップＳ９では、入退室管理機器６は、当該カードが認証されたかを判定する。
【００５１】
ステップＳ９で当該カードが認証されない場合は、ステップＳ３に進む。ステップＳ３では、入退室管理機器６は、カード操作機器５に警告を報知させる。その後、動作が終了する。
【００５２】
ステップＳ９で当該カードが認証された場合は、ステップＳ１０に進む。ステップＳ１０では、入退室管理機器６は、当該カードが同じ警備員のカードであるか否かを判定する。
【００５３】
ステップＳ１０で当該カードが同じ警備員のカードでない場合は、ステップＳ５に進む。ステップＳ５では、入退室管理機器６は、電気錠４を解く。その後、動作が終了する。
【００５４】
ステップＳ１０で当該カードが同じ警備員のカードである場合は、ステップＳ１１に進む。ステップＳ１１では、入退室管理機器６は、動作モードを侵入監視モードへ移行させる。その後、動作が終了する。
【００５５】
この際、入退室管理機器６において、連動情報管理部６ｂは、自らの連動情報管理テーブル６ａを変更する。連動情報送信部６ｃは、自らが侵入監視モードに移行したことと侵入監視モードに移行させた警備員のＩＤ番号等の情報を連動情報送信部６ｃから同じグループの全ての入退室管理装機器に対して送信する。
【００５６】
同じグループの入退室管理装機器の全てにおいて、連動情報受信部６ｄは、これらの情報を受信する。この際、それぞれの連動情報管理部６ｂは、それぞれの連動情報管理テーブル６ａを変更する。
【００５７】
次に、図７を用いて、入退室管理機器６の侵入監視モード時の動作を説明する。
図７はこの発明の実施の形態１における入退室管理システムに用いられた入退室管理機器の侵入監視モード時の動作を説明するためのフローチャートである。
【００５８】
ステップＳ２１からステップＳ２４は、図６のステップＳ１からステップＳ４と同様である。
【００５９】
ステップＳ２４で当該カードが警備員のカードでない場合は、ステップＳ２３に進む。ステップＳ２３では、入退室管理機器６は、カード操作機器５に警告を報知させる。その後、動作が終了する。
【００６０】
ステップＳ２４で当該カードが警備員のカードである場合は、ステップＳ２５に進む。ステップＳ２５からステップＳ２７は、図６のステップＳ６からステップＳ８と同様である。
【００６１】
ステップＳ２７でタイマーが３秒経過した場合は、ステップＳ２８に進む。ステップＳ２８では、入退室管理機器６は、動作モードを通常モードへ移行させる。その後、動作が終了する。
【００６２】
ステップＳ２６でカードがカード操作機器５に対して照合された場合は、ステップＳ２９に進む。ステップＳ２９とステップＳ３０とは、図６のステップＳ９とステップＳ１０と同様である。
【００６３】
ステップＳ２９で当該カードが認証されない場合は、ステップＳ２３に進む。ステップＳ２３では、入退室管理機器６は、カード操作機器５に警告を報知させる。その後、動作が終了する。
【００６４】
ステップＳ３０で当該カードが同じ警備員のカードでない場合は、ステップＳ２３に進む。ステップＳ２３では、入退室管理機器６は、カード操作機器５に警告を報知させる。その後、動作が終了する。
【００６５】
ステップＳ３０で当該カードが同じ警備員のカードである場合は、ステップＳ３１に進む。ステップＳ３１では、入退室管理機器６は、動作モードを警備員立会モードへ移行させる。その後、動作が終了する。
【００６６】
ステップＳ２８またはステップＳ３１で動作モードが移行した際、連動情報管理部６ｂは、自らの連動情報管理テーブル６ａを変更する。連動情報管理部６ｂは、自らのモードが移行したこととモードを移行させた警備員のＩＤ番号等の情報とを連動情報送信部６ｃから同じグループの全ての入退室管理装機器に対して送信する。
【００６７】
同じグループの全ての入退室管理機器６において、連動情報受信部６ｄは、これらの情報を受信する。この際、それぞれの連動情報管理部６ｂは、それぞれの連動情報管理テーブル６ａを変更する。
【００６８】
次に、図８を用いて、入退室管理機器６の警備員立会モード時の動作を説明する。
図８はこの発明の実施の形態１における入退室管理システムに用いられた入退室管理機器の警備員立会モード時の動作を説明するためのフローチャートである。
【００６９】
ステップＳ４１からステップＳ４７は、図７のステップＳ２１からステップＳ２７と同様である。
【００７０】
ステップＳ４７でタイマーが３秒経過した場合は、ステップＳ４８に進む。ステップＳ４８では、入退室管理機器６は、動作モードを侵入監視モードへ移行させる。その後、動作が終了する。
【００７１】
ステップＳ４６でカードがカード操作機器５に対して照合された場合は、ステップＳ４９に進む。ステップＳ４９とステップＳ５０とは、図７のステップＳ２９とステップＳ３０と同様である。
【００７２】
ステップＳ４９で当該カードが認証されない場合は、ステップＳ４３に進む。ステップＳ４３では、入退室管理機器６は、カード操作機器５に警告を報知させる。その後、動作が終了する。
【００７３】
ステップＳ５０で当該カードが同じ警備員のカードでない場合は、ステップＳ５１に進む。ステップＳ５１では、入退室管理機器６は、電気錠４を解く。その後、動作が終了する。
【００７４】
ステップＳ５０で当該カードが同じ警備員のカードである場合は、ステップＳ５２に進む。ステップＳ５２では、入退室管理機器６は、動作モードを不審者追跡モードへ移行させる。その後、動作が終了する。
【００７５】
ステップＳ４８またはステップＳ５２で動作モードが移行した際、連動情報管理部６ｂは、自らの連動情報管理テーブル６ａを変更する。連動情報管理部６ｂは、自らのモードが移行したこととモードを移行させた警備員のＩＤ番号等の情報とを連動情報送信部６ｃから同じグループの全ての入退室管理装機器に対して送信する。
【００７６】
同じグループの全ての入退室管理機器６において、連動情報受信部６ｄは、これらの情報を受信する。この際、それぞれの連動情報管理部６ｂは、それぞれの連動情報管理テーブル６ａを変更する。
【００７７】
なお、図示しないが、警備員立会モードにおいて、警備員のカード以外のカードを持った一般人でも、カードをカード操作機器５に対して照合することにより退場し得る。
【００７８】
次に、図９を用いて、不審者追跡モード時の動作を説明する。
図９はこの発明の実施の形態１における入退室管理システムに用いられた入退室管理機器の不審者追跡モード時の動作を説明するためのフローチャートである。
【００７９】
ステップＳ６１は、図８のステップＳ４１と同様である。
【００８０】
ステップＳ６１でカードがカード操作機器５に対して照合されていない場合は、ステップＳ６２に進む。ステップＳ６２では、入退室管理機器６は、同じグループの入退室管理機器６から追跡準備完了の通知があるか否かを判定する。
【００８１】
ステップＳ６２で追跡準備完了の通知がない場合は、ステップＳ６１に戻る。
【００８２】
ステップＳ６１でカードがカード操作機器５に対して照合された場合は、ステップＳ６３に進む。ステップＳ６３からステップＳ６５は、図８のステップＳ４２からステップＳ４４と同様である。
【００８３】
ステップＳ６５で当該カードが警備員のカードである場合は、ステップＳ６６に進む。ステップＳ６６では、入退室管理機器６は、自らの連動情報管理テーブル６ａの内容に基づいて同じグループの入退室管理機器６があるか否かを判定する。
【００８４】
ステップＳ６６で同じグループの入退室管理機器６がない場合は、ステップＳ６７に進む。ステップＳ６７では、入退室管理機器６は、不審者の逃げ道は対応した通用口のみであると判定する。この場合、入退室管理機器６は、電気錠４を解く。その後、ステップＳ６８に進む。ステップＳ６８では、入退室管理機器６は、動作モードを不審者捕獲モードへ移行させる。その後、動作が終了する。
【００８５】
ステップＳ６６で同じグループの入退室管理機器６がある場合は、ステップＳ６９に進む。ステップＳ６９では、入退室管理機器６は、自らの連動情報管理テーブル６ａの内容に基づいて同じグループの入退室管理機器６の全てが追跡準備完了状態であるか否かを判定する。
【００８６】
ステップＳ６９で同じグループの入退室管理機器６のいずれかが追跡準備完了状態でない場合は、ステップＳ７０に進む。ステップＳ７０では、入退室管理機器６は、同じグループの入退室管理機器６の全てに追跡準備完了を通知する。その後、ステップＳ７１に進む。ステップＳ７１では、入退室管理機器６は、自らの連動情報管理テーブル６ａの内容に基づいて同じグループの入退室管理機器６の全てから追跡準備完了の通知があるか否かを判定する。
【００８７】
ステップＳ７１で同じグループの入退室管理機器６のいずれかから追跡準備完了の通知がない場合は、動作が終了する。
【００８８】
ステップＳ７１で同じグループの入退室管理機器６の全てから追跡準備完了の通知がある場合は、ステップＳ７２に進む。ステップＳ７２では、同じグループの入退室管理機器６の全てが追跡準備完了状態となる。その後、動作が終了する。
【００８９】
ステップＳ６９で同じグループの入退室管理機器６の全てが追跡準備完了状態の場合は、ステップＳ６７とステップＳ６８との動作が行われる。その後、動作が終了する。
【００９０】
ステップＳ６２で追跡準備完了の通知がある場合は、ステップＳ７１とステップＳ７２との動作が行われる。その後、動作が終了する。
【００９１】
次に、図１０を用いて、不審者捕獲モード時の動作を説明する。
図１０はこの発明の実施の形態１における入退室管理システムに用いられた入退室管理機器の不審者捕獲モード時の動作を説明するためのフローチャートである。
【００９２】
ステップＳ８１は、図９のステップＳ６１と同様である。ステップＳ８１でカードがカード操作機器５に対して照合されていない場合は、ステップＳ８１が繰り返される。ステップＳ８１でカードがカード操作機器５に対して照合された場合は、ステップＳ８２に進む。
【００９３】
ステップＳ８２からステップＳ８４は、図９のステップＳ６３からステップＳ６５と同様である。
【００９４】
ステップＳ８４で当該カードが警備員のカードである場合は、ステップＳ８５に進む。ステップＳ８５では、入退室管理機器６は、電気錠４を解く。その後、ステップＳ８６に進む。
【００９５】
ステップＳ８６では、入退室管理機器６は、タイマー値をリセットする。その後、ステップＳ８７に進む。ステップＳ８７では、入退室管理機器６は、カードがカード操作機器５に対して照合されたか否かを判定する。
【００９６】
ステップＳ８７でカードがカード操作機器５に対して照合されていない場合は、ステップＳ８８に進む。ステップＳ８８では、入退室管理機器６は、タイマーが３秒経過した否かを判定する。
【００９７】
ステップＳ８８でタイマーが３秒経過していない場合は、ステップＳ８７に戻る。ステップＳ８８でタイマーが３秒経過した場合は、動作が終了する。
【００９８】
ステップＳ８７でカードがカード操作機器５に対して照合された場合は、ステップＳ８９に進む。ステップＳ８９では、入退室管理機器６は、当該カードが認証されたかを判定する。
【００９９】
ステップＳ８９で当該カードが認証されない場合は、ステップＳ８３に進む。ステップＳ８３では、入退室管理機器６は、カード操作機器５に警告を報知させる。その後、動作が終了する。
【０１００】
ステップＳ８９で当該カードが認証された場合は、ステップＳ９０に進む。ステップＳ９０では、入退室管理機器６は、当該カードが同じ警備員のカードか否かを判定する。
【０１０１】
ステップＳ９０で当該カードが同じ警備員のカードでない場合は、ステップＳ８３に進む。ステップＳ８３では、入退室管理機器６は、カード操作機器５に警告を報知させる。その後、動作が終了する。
【０１０２】
ステップＳ９０で当該カードが同じ警備員のカードの場合は、ステップＳ９１に進む。ステップＳ９１では、入退室管理機器６は、動作モードを通常モードへ移行させる。その後、動作が終了する。
【０１０３】
以上で説明した実施の形態１によれば、入退室管理機器６の動作モードは、警備員のカードの一般操作または特殊操作に基づいて移行する。このため、カード操作機器５における特別な装備を必要とすることなく、入退室管理機器６の動作モードを柔軟に変更することができる。また、同じグループの入退室管理機器６は連動する。このため、特別な上位機器を必要とすることなく、安価なシステムで入退室管理機器６の動作モードを柔軟に変更することができる。
【０１０４】
また、警備員立会モードにおいては、警備員がカード操作機器５に対してカードを照合した後、一般人は一定時間以内にカード操作機器５に対してカードを照合しなければ、電気錠４は解かれない。このため、一般人が警備員の目を盗んで勝手に入場することを防止できる。
【０１０５】
また、不審者追跡モードにおいては、同じグループの入退室管理機器６に対応した通用口において、警備員および一般人の双方が一時的に通行できなくなる。このため、不審者の逃亡を防止することができる。さらに、同じグループの入退室管理機器６に対応した通用口の全てに警備員が到着するまで、警備員は、通用口から入場できない。このため、不審者の逃亡可能な通用口に漏れなく警備員を配置させることができる。
【０１０６】
また、不審者捕獲モードにおいては、警備員以外は、通用口から入退場できない。この際、警備員は、通用口の内側で警備すればよい。この場合、不審者の逃亡を防止しつつ、不審者の移動範囲を狭めることができる。その結果、不審者を捕獲し易くすることができる。
【０１０７】
次に、図１１を用いて、入退室管理機器６の例を説明する。
図１１はこの発明の実施の形態１における入退室管理システムに用いられた入退室管理機器のハードウェア構成図である。
【０１０８】
入退室管理機器６の各機能は、処理回路により実現し得る。例えば、処理回路は、少なくとも１つのプロセッサ７ａと少なくとも１つのメモリ７ｂとを備える。例えば、処理回路は、少なくとも１つの専用のハードウェア８を備える。
【０１０９】
処理回路が少なくとも１つのプロセッサ７ａと少なくとも１つのメモリ７ｂとを備える場合、入退室管理機器６の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ７ｂに格納される。少なくとも１つのプロセッサ７ａは、少なくとも１つのメモリ７ｂに記憶されたプログラムを読み出して実行することにより、入退室管理機器６の各機能を実現する。少なくとも１つのプロセッサ７ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ７ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【０１１０】
処理回路が少なくとも１つの専用のハードウェア８を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、入退室管理機器６の各機能は、それぞれ処理回路で実現される。例えば、入退室管理機器６の各機能は、まとめて処理回路で実現される。
【０１１１】
入退室管理機器６の各機能について、一部を専用のハードウェア８で実現し、他部をソフトウェア又はファームウェアで実現してもよい。例えば、連動情報管理部６ｂの機能については専用のハードウェア８としての処理回路で実現し、連動情報管理部６ｂ以外の機能については少なくとも１つのプロセッサ７ａが少なくとも１つのメモリ７ｂに格納されたプログラムを読み出して実行することによって実現してもよい。
【０１１２】
このように、処理回路は、ハードウェア８、ソフトウェア、ファームウェア、又はこれらの組み合わせによって、入退室管理機器６の各機能を実現する。
【０１１３】
実施の形態２．
図１２はこの発明の実施の形態２における入退室管理システムに用いられた入退室管理機器の通常モード時の動作を説明するためのフローチャートである。なお、実施の形態１の部分と同一又は相当部分には同一符号が付される。当該部分の説明は省略される。
【０１１４】
実施の形態１においては、警備員がひとつひとつの通用口扉に順に配置してそれぞれの入退室管理機器６の動作モードを不審者追跡モードに移行させる。これに対し、実施の形態２においては、警備員がある扉に対応した入退室管理機器６の動作モードを不審者追跡モードに移行させた際に同じグループの入退室管理機器６の全ての動作が不審者追跡モードに移行する。
【０１１５】
図１２において、ステップＳ１０１は、図６のステップＳ１と同様である。
【０１１６】
ステップＳ１０１でカードがカード操作機器５に対して照合されていない場合は、ステップＳ１０２に進む。ステップＳ１０２では、入退室管理機器６は、同じグループの入退室管理機器６から不審者追跡モードへの移行指示があるか否かを判定する。
【０１１７】
ステップＳ１０２で同じグループの入退室管理機器６から不審者追跡モードへの移行指示がない場合は、ステップＳ１０１に戻る。
【０１１８】
ステップＳ１０１でカードがカード操作機器５に対して照合された場合は、ステップＳ１０３に進む。ステップＳ１０３からステップＳ１１２は、図６のステップＳ２からステップＳ１１と同様である。
【０１１９】
ステップＳ１０２で同じグループの入退室管理機器６から不審者追跡モードへの移行指示がある場合は、ステップＳ１１３に進む。ステップＳ１１３では、入退室管理機器６は、動作モードを不審者追跡モードへ移行させる。その後、動作が終了する。
【０１２０】
次に、図１３を用いて、入退室管理機器６の侵入監視モード時の動作を説明する。
図１３はこの発明の実施の形態２における入退室管理システムに用いられた入退室管理機器の侵入監視モード時の動作を説明するためのフローチャートである。
【０１２１】
ステップＳ１２１は、図７のステップＳ２１と同様である。
【０１２２】
ステップＳ１２１でカードがカード操作機器５に対して照合されていない場合は、ステップＳ１２２に進む。ステップＳ１２２では、入退室管理機器６は、同じグループの入退室管理機器６から不審者追跡モードへの移行指示があるか否かを判定する。
【０１２３】
ステップＳ１２２で同じグループの入退室管理機器６から不審者追跡モードへの移行指示がない場合は、ステップＳ１２１に戻る。
【０１２４】
ステップＳ１２１でカードがカード操作機器５に対して照合された場合は、ステップＳ１２３に進む。ステップＳ１２３からステップＳ１３２は、図７のステップＳ２２からステップＳ３１と同様である。
【０１２５】
ステップＳ１２２で同じグループの入退室管理機器６から不審者追跡モードへの移行指示がある場合は、ステップＳ１３３に進む。ステップＳ１３３では、入退室管理機器６は、動作モードを不審者追跡モードへ移行させる。その後、動作が終了する。
【０１２６】
次に、図１４を用いて、入退室管理機器６の警備員立会モード時の動作を説明する。
図１４はこの発明の実施の形態２における入退室管理システムに用いられた入退室管理機器の警備員立会モード時の動作を説明するためのフローチャートである。
【０１２７】
ステップＳ１４１は、図８のステップＳ４１と同様である。
【０１２８】
ステップＳ１４１でカードがカード操作機器５に対して照合されていない場合は、ステップＳ１４２に進む。ステップＳ１４２では、入退室管理機器６は、同じグループの入退室管理機器６から不審者追跡モードへの移行指示があるか否かを判定する。
【０１２９】
ステップＳ１４２で同じグループの入退室管理機器６から不審者追跡モードへの移行指示がない場合は、ステップＳ１４１に戻る。
【０１３０】
ステップＳ１４１でカードがカード操作機器５に対して照合された場合は、ステップＳ１４３に進む。ステップＳ１４３からステップＳ１５２は、図８のステップＳ４２からステップＳ５１と同様である。
【０１３１】
ステップＳ１５１で当該カードが同じ警備員のカードの場合は、ステップＳ１５３に進む。ステップＳ１５３では、入退室管理機器６は、同じグループの入退室管理機器６があるか否かを判定する。
【０１３２】
ステップＳ１５３で同じグループの入退室管理機器６がある場合は、ステップＳ１５４に進む。ステップＳ１５４では、入退室管理機器６は、同じグループの入退室管理機器６の全てに不審者追跡モードへの移行を指示する。具体的には、連動情報管理部６ｂは、連動情報送信部６ｃを用いて不審者追跡モードへの移行を指示する信号を同じグループの他の入退室管理機器６に送信する。その後、ステップＳ１５５に進む。ステップＳ１５５では、入退室管理機器６は、動作モードを不審者追跡モードへ移行させる。その後、動作が終了する。
【０１３３】
ステップＳ１５３で同じグループの入退室管理機器６がない場合は、ステップＳ１５４を経由せずにステップＳ１５５に進む。ステップＳ１５５では、入退室管理機器６は、動作モードを不審者追跡モードへ移行させる。その後、動作が終了する。
【０１３４】
ステップＳ１４２で同じグループの入退室管理機器６から不審者追跡モードへの移行指示がある場合は、ステップＳ１５５に進む。ステップＳ１５５では、入退室管理機器６は、動作モードを不審者追跡モードへ移行させる。その後、動作が終了する。
【０１３５】
以上で説明した実施の形態２によれば、入退室管理機器６の各々は、同じグループの他の入退室管理機器６の動作モードが不審者追跡モードに移行した際に動作モードを不審者追跡に移行させる。このため、不審者の逃亡をより早く防止することができる。その結果、不審者の逃亡をより確実に防止することができる。
【０１３６】
実施の形態３．
図１５はこの発明の実施の形態３における入退室管理システムに用いられた入退室管理機器の不審者追跡モード時の動作を説明するためのフローチャートである。なお、実施の形態１または実施の形態２の部分と同一又は相当部分には同一符号が付される。当該部分の説明は省略される。
【０１３７】
実施の形態１の不審者追跡モードにおいては、警備員がひとつひとつのカード操作機器５に対してカードの一般操作を行うことにより、それぞれの電気錠４が解かれる。これに対し、実施の形態３の不審者追跡モードにおいては、警備員があるカード操作機器５に対してカードの一般操作を行うことにより、同じグループの入退室管理機器６に対応した電気錠４の全てが解かれる。
【０１３８】
ステップＳ１６１からステップＳ１７２は、図９のステップＳ６１からステップＳ７２と同様である。
【０１３９】
ステップＳ１６９で同じグループの入退室管理機器６の全てが追跡準備完了状態の場合は、ステップＳ１７３に進む。ステップＳ１７３では、入退室管理機器６は、同じグループの入退室管理機器６の全てに電気錠４の開錠を指示する。具体的には、連動情報管理部６ｂは、連動情報送信部６ｃを用いて電気錠４の開錠を指示する信号を同じグループの他の入退室管理機器６に送信する。その後、ステップＳ１６７とステップＳ１６８との動作が行われる。その後、動作が終了する。
【０１４０】
ステップＳ１６２で追跡準備完了の通知がない場合は、ステップＳ１７４に進む。ステップＳ１７４では、入退室管理機器６は、同じグループの入退室管理機器６から電気錠４の開錠指示があるか否かを判定する。
【０１４１】
ステップＳ１７４で同じグループの入退室管理機器６から電気錠４の開錠指示がない場合は、ステップＳ１６１に戻る。
【０１４２】
ステップＳ１７４で同じグループの入退室管理機器６から電気錠４の開錠指示がある場合は、ステップＳ１６７とステップＳ１６８との動作が行われる。その後、動作が終了する。
【０１４３】
以上で説明した実施の形態３によれば、入退室管理機器６の各々は、同じグループの入退室管理機器６の全てが不審者追跡モードの際にいずれかのカード操作機器５に対して一般操作が行われた際に対応した電気錠４を解く。このため、複数の警備員に対して、一斉に不審者の捕獲行動に促すことができる。その結果、不審者をより確実に捕獲することができる。
【０１４４】
実施の形態４．
図１６はこの発明の実施の形態４における入退室管理システムに用いられた入退室管理機器の不審者捕獲モード時の動作を説明するためのフローチャートである。なお、実施の形態１から実施の形態３のいずれか１つの部分と同一又は相当部分には同一符号が付される。当該部分の説明は省略される。
【０１４５】
実施の形態１の不審者捕獲モードにおいては、警備員がひとつひとつのカード操作機器５に対してカードの特殊操作を行うことにより、それぞれの入退室管理機器６の動作モードが通常モードに移行する。これに対し、実施の形態４の不審者追跡モードにおいては、警備員があるカード操作機器５に対してカードの特殊操作を行うことにより、同じグループの入退室管理機器６の全ての動作モードが通常モードに移行する。
【０１４６】
ステップＳ１８１からステップＳ１９０は、図１０のステップＳ８１からステップＳ９０と同様である。
【０１４７】
ステップＳ１９０で当該カードが同じ警備員のカードである場合は、ステップＳ１９１に進む。ステップＳ１９１では、入退室管理機器６は、同じグループの入退室管理機器６があるか否かを判定する。
【０１４８】
ステップＳ１９１で同じグループの入退室管理機器６がない場合は、ステップＳ１９２に進む。ステップＳ１９２では、入退室管理機器６は、動作モードを通常モードへ移行させる。その後、動作が終了する。
【０１４９】
ステップＳ１９１で同じグループの入退室管理機器６がある場合は、ステップＳ１９３に進む。ステップＳ１９３では、入退室管理機器６は、同じグループの入退室管理機器６の全てに通常モードへの移行を指示する。具体的には、連動情報管理部６ｂは、連動情報送信部６ｃを用いて通常モードへの移行を指示する信号を同じグループの他の入退室管理機器６に送信する。その後、ステップＳ１９２の動作が行われる。その後、動作が終了する。
【０１５０】
ステップＳ１８１でカードがカード操作機器５に対して照合されていない場合は、ステップＳ１９４に進む。ステップＳ１９４では、入退室管理機器６は、同じグループの入退室管理機器６から通常モードへの移行の指示があるか否かを判定する。
【０１５１】
ステップＳ１９４で同じグループの入退室管理機器６から通常モードへの移行の指示がない場合は、ステップＳ１８１に戻る。
【０１５２】
ステップＳ１９４で同じグループの入退室管理機器６から通常モードへの移行の指示がある場合は、ステップＳ１９２の動作が行われる。その後、動作が終了する。
【０１５３】
以上で説明した実施の形態４によれば、入退室管理機器６の各々は、同じグループの入退室管理機器６の全てが不審者捕獲モードの際にいずれかのカード操作機器５に対して特殊操作が行われた際に動作モードを通常モードに移行させる。このため、不審者が捕獲された後、より早く簡単に動作モードを通常モードに移行することができる。
【０１５４】
なお、不審者追跡モードにおいて、同じグループの入退室管理機器６の全てが追跡準備完了の状態になったことを警備員に対して報知してもよい。例えば、カード操作機器５のランプで表示してもよい。例えば、カード操作機器５を鳴動させてもよい。この場合、警備員に対してより早く不審者の捕獲を促すことができる。
【０１５５】
また、入退室管理機器６の動作モードの数は限定されない。例えば、入退室管理機器６の動作モードのうちのいくつかを省略してもよい。
【符号の説明】
【０１５６】
１  建築物、  ２ａ  第１扉、  ２ｂ  第２扉、  ２ｃ  第３扉、  ２ｄ  第４扉、  ２ｅ  第５扉、  ２ｆ  第６扉、  ２ｇ  第７扉、  ２ｈ  第８扉、  ２ｉ  第９扉、  ２ｊ  第１０扉、  ２ｋ  第１１扉、  ３  侵入センサ、  ４  電気錠、  ５  カード操作機器、  ６  入退室管理機器、  ６ａ  連動情報管理テーブル、  ６ｂ  連動情報管理部、  ６ｃ  連動情報送信部、  ６ｄ  連動情報受信部、  ７ａ  プロセッサ、  ７ｂ  メモリ、  ８  ハードウェア
【図１】
0006627602.tif 000002
【図２】
0006627602.tif 000003
【図３】
0006627602.tif 000004
【図４】
0006627602.tif 000005
【図５】
0006627602.tif 000006
【図６】
0006627602.tif 000007
【図７】
0006627602.tif 000008
【図８】
0006627602.tif 000009
【図９】
0006627602.tif 000010
【図１０】
0006627602.tif 000011
【図１１】
0006627602.tif 000012
【図１２】
0006627602.tif 000013
【図１３】
0006627602.tif 000014
【図１４】
0006627602.tif 000015
【図１５】
0006627602.tif 000016
【図１６】
0006627602.tif 000017